(57)【要約】【課題】  ペットが所定箇所で確実に排泄できるようにするとともに、その排泄物が周辺に飛散しないようにする。【解決手段】  ペットシーツを敷設するトレイ本体２と、トレイ本体２に装着して前記ペットシーツを止着するためのカバー体３を有している。カバー体３の前後面部にはペット出入口部２７，２７ａが形成されており、その周面部にはペットシーツ取付壁２８，２８ａが形成されている。ペットシーツは、トレイ本体底面部５とカバー体３のペットシーツ取付壁２８，２８ａの表面側に取り付けられる。【選択図】          図１
0003112544.tif 000002
【実用新案登録請求の範囲】
【請求項１】
ペットシーツを敷設するトレイ本体と、該トレイ本体に装着して前記ペットシーツを止着するためのカバー体を備えたペット用トイレにおいて、
前記カバー体にペット出入口部を形成するとともに、該ペット出入口部が形成された面を除く他の全部又は一部の周面部をペットシーツ取付壁としたことを特徴とするペット用トイレ。
【請求項２】
前記ペット出入口部に向かって左右両側部に前記ペットシーツ取付壁を設けたことを特徴とする請求項１に記載のペット用トイレ。
【請求項３】
前記カバー体の前後方向にペット出入口部となる凹部を形成するとともに、該カバー体の左右側面部を前記凹部より高くしてペットシーツ取付壁を構成したことを特徴とする請求項１又は請求項２に記載のペット用トイレ。
【請求項４】
前記ペットシーツ取付壁は、その表面側にペットシートを取り付けるものであり、前記カバー体を前記トレイ本体に装着した状態で、前記トレイ本体の内面側に位置することを特徴とする請求項１から請求項３の何れか一項に記載のペット用トイレ。
【請求項５】
前記カバー体は、底面開口部と、該底面開口部に向かって傾斜したペットシーツ取付壁を有していることを特徴とする請求項１から請求項４の何れか一項に記載のペット用トイレ。
【請求項６】
前記トレイ本体は、前記カバー体の底面開口部に対応し、ペットシーツを敷設する底面部と、前記底面部に向かって傾斜した左右側面部とを有しており、
前記カバー体を前記トレイ本体の内面側に挿入し、前記カバー体の底面開口部の端縁部においてペットシーツを止着するように構成したことを特徴とする請求項５に記載のペット用トイレ。
【請求項７】
前記トレイ本体底面部の端縁部にペットシーツ係入部を形成するとともに、前記カバー体の底面開口部の下端部に、前記ペットシーツ係入部と係合するペットシーツ止着部を形成したことを特徴とする請求項６に記載のペット用トイレ。
【請求項８】
前記ペットシーツ係入部と前記ペットシーツ止着部によって、前記トレイ本体底面部に敷設したペットシーツの一端部だけを止着し、該ペットシーツを前記ペットシーツ取付壁の方向に折り返すことができるようにしたことを特徴とする請求項７に記載のペット用トイレ。
【請求項９】
前記ペットシーツ係入部はトレイ本体底面部の周辺端縁部に形成された係入溝であり、前記ペットシーツ止着部はカバー体底面開口部の周辺下端部に突設された係止リブであることを特徴とする請求項７又は請求項８に記載のペット用トイレ。
【請求項１０】
前記ペットシーツ取付壁に取り付けたペットシーツの固定手段を設けたことを特徴とする請求項１から請求項９の何れか一項に記載のペット用トイレ。
【請求項１１】
前記ペットシーツ固定手段は、カバー本体の上端部に形成された鋸歯状のスリットであることを特徴とする請求項１０に記載のペット用トイレ。
【請求項１２】
前記カバー体と前記トレイ本体を固定するための係脱手段を、前記カバー体又は前記トレイ本体の上端部に設けたことを特徴とする請求項１から請求項１１の何れか一項に記載のペット用トイレ。
【請求項１３】
前記カバー体と前記トレイ本体を固定するための係脱手段を、前記カバー体又は前記トレイ本体の下端部に設けたことを特徴とする請求項１から請求項１１の何れか一項に記載のペット用トイレ。
【考案の詳細な説明】
【技術分野】
【０００１】
本考案は、犬、猫などのペットが糞尿などの排泄物を排泄する際に使用するペット用トイレに関するものである。
【背景技術】
【０００２】
屋内で飼育している犬、猫などのペット用トイレとして、吸水性シーツを敷設するタイプのものが知られている。例えば、板状のトレイ本体にペットシーツを載置し、そのペットシーツの周囲を枠体で押さえるようにしたものや（特許文献１）、底面部だけにパットシートを敷き、その周囲を尿誘導ボードで囲うようにしたもの（特許文献２）などが提案されている。しかしながら、これらのペット用トイレはペットシーツを底面部にだけ敷くため、ペットの排泄物が周囲に飛び散ったり、尿誘導ボードなどに排泄物が付着し、臭気を発するなどの問題がある。
【０００３】
また、ボックス状の容器の底面部に不透液性シーツを敷き、その容器の開口縁部にカバー部材を被せ、容器内面部とカバー部材の間に不透液性シーツを挟んで止着するとともに、容器内部に排泄物処理材を入れるようにしたものも提案されている（特許文献２）。しかし、このペット用トイレは排泄物を不透液性シーツではなく、その上に敷いた排泄物処理材で吸収するものであり、しかも不透液性シーツはカバー部材の内側に挟み込まれるため、カバー部材の表面部に排泄物が付着し、臭気を発する問題がある。しかも、四方が側壁で囲まれたボックス状の容器であるため、成長したペットや、比較的大型のペットは、側壁が邪魔になり、排泄しにくいという問題もある。
【０００４】
また、ヒンジ部で連結されている２つの本体部にペットシーツを敷き、そのシーツをヒンジ部近くに設けられたシーツ支持手段で挟めるようにし、ヒンジ部を介してＬ字状に立脚させた本体部側にもペットシーツを取り付けられるようにしたものも提案されている（特許文献４）。しかし、犬などは壁面に向かって排尿する習性があり、一方にしか本体部が立脚していないと、犬がそのトイレの使用を回避したり、立脚本体部と反対方向に排尿する心配もあり、周囲に排泄物が飛散して、トイレの周辺を汚すなどの問題がある。
【０００５】
【特許文献１】実用新案登録第３０７９１３８号公報
【０００６】
【特許文献２】特開２００４−２５４７０１号公報
【特許文献３】特開平１０−２２５２４３号公報
【特許文献４】実用新案登録第３０７８８０７号公報
【考案の開示】
【考案が解決しようとする課題】
【０００７】
本考案は、上述したような現状に基づいて提案されたものであり、ペットが所定箇所で確実に排泄物を排泄できるようにするとともに、その排泄物が周辺に飛散しないようにしたペット用トイレを提供するものである。
【０００８】
また本考案は、ペットシーツをトレイ本体底面部だけではなく、周面部にも広範囲にわたって簡単確実に取り付けることができるようにしたペット用トイレを提供するものである。
【０００９】
また本考案は、比較的大型のペットであっても余裕を持って排泄することができるペット用トイレを提供するものである。
【００１０】
さらに本考案は、構成が簡単で安価に製造することができるペット用トイレを提供するものである。
【課題を解決するための手段】
【００１１】
上記課題を解決するため、本考案のペット用トイレが採用した手段は以下の通りである。
即ち、ペットシーツを敷設するトレイ本体と、該トレイ本体に装着して前記ペットシーツを止着するためのカバー体を備えたペット用トイレにおいて、
前記カバー体にペット出入口部を形成するとともに、該ペット出入口部が形成された面を除く他の全部又は一部の周面部をペットシーツ取付壁としたことを特徴とする。
【００１２】
前記トレイ本体は、底面部にペットシーツを敷設でき、カバー体に形成されるペット出入口部を塞がないような形状であれば任意のものを使用できるが、全体的なデザイン性、機能性等を考慮して、カバー体と外観的に一体性を有する構成とするのが好ましい。また、前記カバー体は、トレイ本体に装着したとき、トレイ本体のペットシーツを止着するものであればよい。カバー体に形成されるペット出入口は、１つの面又は隣接する２面に連なって凹部を形成したり、１つの面又は複数の面に円形又は角形開口部を形成するなど、その構成は任意であるが、ペットをトレイ本体内部に誘導しやすい構成とするのが好ましい。
【００１３】
また、カバー体のペットシーツ取付壁は、カバー本体の全体形状に対応して形成されるものであり、例えばカバー体がボックス状枠体であれば、ペット出入口部が形成された面を除く、左右両側面部及びペット入口部の対向面部の全部又は一部がペットシーツ取付壁となり、カバー体が筒状枠体であれば、ペット出入口部を除く周側面がペットシーツ取付壁となる。
【００１４】
以上のような手段により、ペットをペット出入口部からトレイ本体内に誘導し、トレイ本体内で確実に糞尿などの排泄物を排泄できるようになる。また、ペットシーツ取付壁にペットシーツを取り付けることにより、周辺に飛散した排泄物をペットシーツで吸収することができ、トレイ本体又はカバー体に排泄物が直接付着することを防止することができる。なお、本考案はペットの種類や行動特性などによっては、ペットシーツ取付壁にペットシーツを取り付けない状態で使用することもできる。
【００１５】
また本考案は、前記ペット出入口部に向かって左右両側部に前記ペットシーツ取付壁を設けたことを特徴とする。これにより犬のように壁面に向かっては排尿する習性を有するペットは、ペット出入口部から入って左右任意の方向に排尿することができる。
【００１６】
また本考案は、カバー体の前後方向にペット出入口部となる凹部を形成するとともに、該カバー体の左右側面部を前記凹部より高くしてペットシーツ取付壁を構成したことを特徴とする。このようにすれば、比較的大型のペットであっても、頭部や尻尾をペット出入口部からはみ出した状態で余裕を持って排泄することができる。また、カバー体の構成が簡単であるため、安価に製造することができる。
【００１７】
また本考案の前記ペットシーツ取付壁は、その表面側にペットシーツを取り付けるものであり、前記カバー体を前記トレイ本体に装着した状態で、前記トレイ本体の内面側に位置することを特徴とする。このようにすれば、飛散したペット排泄物等がペットシーツ取付壁に取り付けられたペットシーツに吸収されるため、トレイ本体及びカバー体の内周面部に直接排泄物が付着することがなくなり、ペットシーツの交換も容易になる。また、ペットシーツをトレイ本体及びカバー体の内部に広範囲に敷設することができるとともに、排泄物がカバー体又はトレイ本体の隙間等に入り込まなくなるため、清掃が容易になる。
【００１８】
また本考案の前記カバー体は、底面開口部と、該底面開口部に向かって傾斜したペットシーツ取付壁を有していることを特徴とする。このようにすれば、ペットシーツ取付壁方向に排泄された排泄物は、ペットシーツ取付壁に取り付けられたペットシーツに吸収されるか、又は底面開口部方向に移動して、該底面開口部に対応した位置に有するトレイ本体のペットシーツに吸収されることになる。
【００１９】
また本考案の前記トレイ本体は、前記カバー体の底面開口部に対応し、ペットシーツを敷設する底面部と、該底面部に向かって傾斜した側面部を有しており、前記カバー体を前記トレイ本体の内面側に挿入し、前記ペットシーツ取付壁を前記トレイ本体側面部に当接させるとともに、前記カバー体の底面開口部の端縁部においてペットシーツを止着するように構成したことを特徴とする。このようにすると、トレイ本体とカバー体が外観的に一体性を有する構成となり、カバー体やペットシーツの着脱も便利である。
【００２０】
また本考案は、前記トレイ本体底面部の端縁部にペットシーツ係入部を形成するとともに、前記カバー体の底面開口部の下端部に、前記ペットシーツ係入部と係合するペットシーツ止着部を形成したことを特徴とする。このようにすれば、トレイ本体底面部に敷設したペットシーツをカバー体により簡易に止着することができる。
【００２１】
また本考案は、前記ペットシーツ係入部と前記ペットシーツ止着部によって、前記トレイ本体底面部に敷設したペットシーツの一端部だけを止着し、該ペットシーツを前記ペットシーツ取付壁の方向に折り返すことができるようにしたことを特徴とする。このようにすれば、ペットシーツ取付壁にペットシーツを簡単に取り付けることができ、トレイ本体底部に敷設したペットシーツと連続性をもたせることができる。
【００２２】
また、本考案の前記ペットシーツ係入部は、トレイ本体底面部の周辺端縁部に形成された係入溝であり、前記ペットシーツ止着部はカバー体底面開口部の周辺下端部に突設された係止リブであることを特徴とする。このようにすれば、ペットシーツ係入部とペットシーツ止着部の構成が簡単であり、製造コストも安価になる。
【００２３】
また本考案は、前記ペットシーツ取付壁に取り付けたペットシーツの固定手段を設けたことを特徴とする。このペットシーツ固定手段は、例えば着脱式面接合テープ（いわゆるマジックテープ）、両面粘着テープ、フックボタン、クリップなど、ペットシーツをペットシーツ取付壁に固定できるものであれば任意である。ペットシーツ固定手段の取り付け位置も、ペットシーツ取付壁の上端部や下端部又はトレイ本体の外側上端部等、任意に選定できるが、ペットの排泄物が付着しない位置が好ましい。これによって、ペットシーツ取付壁に取り付けたペットシーツが、ペットのいたずら等により離脱することを防止することができる。
【００２４】
また本考案の前記ペットシーツ固定手段は、カバー本体の上端部に形成された鋸歯状のスリットであることを特徴とする。このような固定手段は、構成も簡単でペットシーツの着脱も容易であり、外見的にも体裁がよい。
【００２５】
また本考案は、前記カバー体と前記トレイ本体とを固定するための係脱手段を、前記カバー体又は前記トレイ本体の上端部に設けたことを特徴とする。これによって、カバー体をレイ本体に確実に装着でき、また、係脱手段の位置がトレイ本体底面部から離れるため、係止手段に排泄物が付着するのを防ぐことができる。さらに、係脱手段は上方から見える位置に設けられているため、トレイ本体とカバー体の装着状態を容易に確認することができる。
【００２６】
また本考案は、前記カバー体と前記トレイ本体とを固定するための係脱手段を、前記カバー体又は前記トレイ本体の下端部に設けたことを特徴とする。このようにすると、係脱手段の押圧力によりトレイ本体底面部に敷設されたペットシーツがカバー体下端部によって強固に止着されることになる。また、係脱手段がカバー体の裏面側に設置されるため、ペット排泄物の付着を確実に回避することができる。
【考案の効果】
【００２７】
上述した本考案によれば、カバー体にペット出入口部を形成するとともに、該ペット出入口部が形成された面を除く他の全部又は一部の周面部をペットシーツ取付壁としたことにより、ペット出入口から誘導されたペットが所定箇所で確実に排泄物を排泄でき、周辺に飛散した排泄物も、ペットシーツ取付壁に取り付けたペットシートで吸収することができる。
【００２８】
また本考案によれば、比較的大型のペットであっても、頭部や尻尾などが邪魔にならずに余裕を持って排泄することができる。
【００２９】
また本考案によれば、ペットシーツをトレイ本体底面部だけではなく周面部にも広範囲にわたって簡単確実に取り付けることができ、トレイ本体やカバー体の排泄物による汚れを広範囲にわたって防ぐことができる。さらに構成が簡単で安価に製造することができる、などの効果を有する。
【考案を実施するための最良の形態】
【００３０】
以下、本考案の実施形態を添付図面に従って説明する。図１は、本考案のペット用トイレの全体斜視図であり、このペット用トイレ１は、トレイ本体２と、トレイ本体２に着脱可能に装着されるカバー体３から構成されている。これらトレイ本体２とカバー体３は、硬質合成樹脂によって成型されている。
【００３１】
トレイ本体２は、図２に示すように全体が有底箱型形状となっており、底面部５と、この底面部５から一体的に立ち上がった左右両側面部８，８ａ及び前後面部９，９ａから構成されている。トレイ本体底面部５の表面側にはペットシーツが敷設されるものであり、その表面側の前後端縁部及び左右端縁部には、図２及び図１０に示すように、ペットシーツ係入部となる係入溝６が形成されている。
【００３２】
また、図２に示すように、トレイ本体２の前後面部９，９ａには、Ｕ字状の凹部７，７ａが形成され、左右両側面部８，８ａは、この凹部７，７ａより高く形成されている。また、左右両側面部８、８ａは底面部５方向にやや傾斜して形成されており、左右両側面部８，８ａの上端部には係止片１０，１０ａが形成されている。
【００３３】
一方、カバー体３は、図２及び図９に示すように全体が箱枠形状となっており、左右側面部２０，２０ａと前後面部２１，２１ａとから構成され、トレイ本体底面部５に対応した位置に底面開口部２２が形成されている。また、図９に示すように、左右側面部２０，２０ａと前後面部２１，２１ａの上端縁部には、外側に張り出したフランジ部２４が形成され、その裏面部が複数の補強リブ２５で補強されている。このカバー体３の左右側面部２０，２０ａと前後面部２１，２１ａは、前記トレイ本体２の内面部に接して嵌挿できる大きさとなっている。
【００３４】
また、カバー体３の底面開口部２２の前後左右下端部には、図９に示すように、トレイ本体２のペットシーツ係入溝６と対応してペットシーツ止着部となる係止リブ２３が突設されている。この係止リブ２３の外側部にも補強リブ２３ａが突設されている。
【００３５】
カバー体３の前後面部２１，２１ａには、トイレ本体２の前後面凹部７，７ａと対応したＵ字状の凹部２６，２６ａが形成されており、この凹部２６，２６ａがペット出入口部２７，２７ａとなる。また、左右側面部２０，２０ａはペットで入口部２７，２７ａよりも高くなるように形成され、この左右側面部２０，２０ａがペットシーツ取付壁２８，２８ａとなる。このペットシーツ取付壁２８，２８ａは、底面開口部２２に向かって傾斜して形成されている。
【００３６】
ペットシーツ取付壁２８，２８ａの上端部であるフランジ部２４の中央部には、トレイ本体２との係脱手段となるバックル２９，２９ａが設けられている。このバックル２９、２９ａは、操作片に爪部を設け、該操作片が閉じたとき爪部が前記トレイ本体係止片１０，１０ａと係止する構成となっている。
【００３７】
また前記バックル２９，２９ａの前後方向には、ペットシート固定手段となる鋸歯状のスリット３０，３０ａが形成されている。このスリット３０，３０ａにペットシーツの一部を差し込むと、ペットシーツはスリットにより噛合され、簡単に引き抜くことができなくなる。
【００３８】
次に前記したペット用トイレの使用例を図３〜図８より説明する。まず図３に示すように、トレイ本体２の底面部５に第一ペットシーツ４０を敷き、その上に、図４に示すように、第二ペットシーツ４１を左側に少しずらして敷き、その上に、図５に示すように、第三ペットシーツ４２を右側に少しずらして敷く。
【００３９】
次に図６に示すように、カバー体３をトレイ本体２の内部側に挿嵌入し、カバー体３側の係止リブ２３をトレイ本体２側のペットシーツ係入溝６に係入する前に、図７に示すように、第三ペットシーツ４２を右側のペットシーツ取付壁２８方向に折り返し、ペットシーツ取付壁２８の表面側をペットシーツ４２で覆った状態で、その上端部をスリット３０，３０ａに差し込んで固定する。
【００４０】
その後、図８に示すように、第二ペットシーツ４１を左側のペットシーツ取付壁２８ａ方向に折り返し、ペットシーツ取付壁２８ａをペットシーツ４１で覆った状態で、その上端部をペットシーツ固定手段であるスリット３０、３０ａに差し込んで固定する。このとき、トレイ本体底面部５には、第一ペットシーツ４０が露見した状態になる。
【００４１】
最後にカバー体３をトレイ本体２に押し込み、係脱手段２９，２９ａによりカバー体３をトレイ本体２に固定する。これにより図１０に示すように、第一ペットシーツ４０と第二ペットシーツ４１を挟んだ状態で、カバー体３の係止リブ２３がトレイ本体２のペットシーツ係入溝６に係入され、補強リブ２３ａによる幅方向の押圧力も加わって、これらペットシーツ４０，４１が止着される。同様に、右側ペットシーツ取付壁２８側でも第一ペットシーツ４０と第三ペットシーツ４２が止着される。なお、ペットシーツ４０，４１，４２は、トレイ本体２のペットシート係入溝６を覆うサイズのものを使用している。
【００４２】
ペットは、カバー体３のペット出入口部２７，２７ａからペット用トレイ１に入り、トレイ本体底面部５に敷かれた第一ペットシーツ４０や、左右のペットシーツ取付壁２８，２８ａに取り付けられた第二、第三ペットシーツ４１，４２をめがけて排泄する。その排泄物は各ペットシーツ４０，４１，４２に吸収される。ペットシーツ４０，４１，４２の交換は、係脱手段２９，２９ａを開放し、カバー体３をトレイ本体２から取り外すことで簡単に行うことができる。
【００４３】
前記した使用例では、３枚のペットシーツ４０，４１，４２を使用しているが、ペットシーツ取付壁２８，２８ａを覆うことができるロングサイズの１枚のペットシーツを使用することもできる。また図１１に示すように、トレイ本体体底面部５にペットシーツ４０だけを取り付けてもよく、あるいはこのトレイ本体底面部５と左右一方のペットシーツ取付壁２８，２８ａにペットシーツ４１，４２を取り付けるようにしてもよい。
【００４４】
図１２は、係脱手段をトレイ本体２の下端部に設けた場合の変形例である。トレイ本体２の下端部には凹開口部５０が形成され、その凹開口部５０に係脱手段となるバックル５１が設けられる。またカバー体３の裏面側下端部には段部５２が設けられ、下方に付勢されたバックルの先端部が段部５２を押圧することにより、カバー体３を固定している。
【００４５】
上述した実施形態は本考案の一例を示したものであり、トレイ本体２やカバー体３の細部の構成は必要により変更できることはいうまでもない。
【図面の簡単な説明】
【００４６】
【図１】本考案のペット用トイレの全体斜視図である。
【図２】本考案のペット用トレイを構成するトレイ本体とカバー体の分解斜視図である。
【図３】トレイ本体底面部に第一ペットシーツを敷いた状態の斜視図である。
【図４】第一ペットシーツの上に第二ペットシーツを敷いた状態の斜視図である。
【図５】第二ペットシーツの上に第三ペットシーツを敷いた状態の斜視図である。
【図６】第一ないし第三ペットシーツを重ねて敷いたトレイ本体にカバー体を装着した状態の斜視図である。
【図７】第三ペットシーツを右側ペットシーツ取付壁に取り付けた状態の斜視図である。
【図８】第二ペットシーツを左側ペットシーツ取付壁に取り付けた状態の斜視図である。
【図９】本考案のカバー体の裏面側から見た斜視図である。
【図１０】本考案のカバー体をトレイ本体に装着したときの下部断面図である。
【図１１】本考案のトレイ本体底面部にだけペットシーツを敷いてカバー体を装着したときの下部断面図である。
【図１２】係脱手段をトイレ本体とカバー体の下端部に設けた実施態様を示す断面図である。
【符号の説明】
【００４７】
１はペット用トイレ
２はトレイ本体
３はカバー体
５はトレイ本体底面部
６ペットシーツ係入溝（ペットシーツ係入部）
７，７ａはトレイ本体凹部
８、８ａはトレイ本体左右側面部
９，９ａはトレイ本体前後面部
１０，１０ａは係止片
２０，２０ａはカバー本左右側面部
２１，２１ａはカバー体前後面部
２２はカバー体底面開口部
２３は係止リブ（ペットシーツ止着部）
２４はフランジ部
２５は補強リブ
２６，２６ａはカバー体凹部
２７，２７ａはペット出入口部
２８，２８ａペットシーツ取付壁
２９，２９ａはバックル（係脱部材）
３０，３０ａは鋸歯上スリット（ペットシート固定手段）
４０は第一ペットシート
４１は第二ペットシート
４２は第三ペットシート
５０はトレイ本体凹部
５１はバックル
５２は段部
【図１】
0003112544.tif 000003
【図２】
0003112544.tif 000004
【図３】
0003112544.tif 000005
【図４】
0003112544.tif 000006
【図５】
0003112544.tif 000007
【図６】
0003112544.tif 000008
【図７】
0003112544.tif 000009
【図８】
0003112544.tif 000010
【図９】
0003112544.tif 000011
【図１０】
0003112544.tif 000012
【図１１】
0003112544.tif 000013
【図１２】
0003112544.tif 000014